(57)【要約】【課題】高さを簡単な機構で調整でき、枕として必要な機能を合わせて有する枕を提供する。【解決手段】頭をあてがう平面と前後に同じ方向に平行に曲げられた縁を有して浅いU字形状の断面形状で形成された弾性支持体を互いの平面を上下外側に向け、前後それぞれの互いの縁をずらして重ねられる配置で合体され、弾性支持体の端近傍の左右前後方向に２箇所に設けられた同じ傾斜の傾斜面を、独立した部材で左右２箇所に平行に配置された勘合部の対応する位置で同じ傾斜の８箇所の傾斜面に勘合され、合体された弾性支持体と勘合部との相対位置を変えることで枕の高さを可変でき、弾性部の合体するための合わせ突出部の背面に設けた上下方向の突起部を勘合梁部の前後方向に形成された凹凸部に嵌め込むことで位置を固定し、高さを固定する。【選択図】図１
2011030634.tif 000002
【特許請求の範囲】
【請求項１】
矩形近似の平面を有し、前後の縁が同じ方向に曲げられ、断面が浅いＵ字形状の弾性支持体の２つが、互いの該平面を外側に、前後の該縁を対向させて上と下から合体して配置され、該弾性支持体の左右の端の近傍において同じ傾斜の傾斜面を有する斜め突出部が前後に２箇所づつ前記弾性支持体の内側に前記平面と直交して形成され、該斜め突出部と対向する位置に上と下の前記斜め突出部の傾斜面に接する反対方向の傾きの傾斜面を上下に有する左右の勘合部に前記斜め突出部が勘合され、前記弾性支持体と該勘合部の前後方向の相対的位置関係が変えられ、上下の前記弾性支持体の前記平面の距離が可変される構成を有する枕。
【請求項２】
上下方向に開けられた溝に傾斜面を有する左右の前記勘合部を一体化した勘合梁部を有する請求項１に記載の枕。
【請求項３】
前記弾性支持体の左右の端の中間近傍に、左右のいずれかの方向に開放端を有して内側に前記平面と直交する方向に突出する合わせ突出部が設けられ、該合わせ突出部を互いに嵌め合わせて上下の前記弾性支持体が合体される請求項１または請求項２に記載の枕。
【請求項４】
前記合わせ突出部の先端の前記開放端側に突出したフック部が設けられ、前記開放端と反対側の非開放端が途中から開放され、該フック部が他方の開放された部分に嵌められることにより上下の前記弾性支持体が上下方向に固定される請求項３に記載の枕。
【請求項５】
左右の前記合わせ突出部のいずれかの非開放端に、前記弾性支持体の内側方向に向いて形成された突起部が、前記勘合部の外側の側面に前後方向に連続的に形成された凹凸部の凹部に嵌め込まれて前記弾性支持体と前記勘合梁部の相対位置が非連続的に固定される請求項３または請求項４に記載の枕。
【請求項６】
前記斜め突出部と前記勘合部の傾斜面が階段近似の形状に形成される請求項１から請求項５のいずれかに記載の枕。  
【請求項７】
前記勘合部の中間の高さの位置から反対方向の傾斜を有する上下の傾斜面が、同じ形状で構成された上下の前記弾性支持体の前記縁が合体されるに必要な前後方向のずれ量だけ相互にずらす構成にされる請求項１から請求項６のいずれかに記載の枕。
【発明の詳細な説明】
【技術分野】
【０００１】
本発明は、睡眠時に使用する高さを調整できる枕に関する。
【背景技術】
【０００２】
睡眠時に使用する従来の枕は、枕の基本機能を万人に満足させることは難しい。その第一は、枕の高さを個々人に適応させることである。高さが適合しない場合には頚椎に負担がかかり、人体に悪影響をもたらす。高さを全ての人に合わせた枕を用意するのは難しい。また、個々人に高さを合わせた場合でも、ベッドや布団の状態によって高さが変化する。したがって、枕の高さを何時でも変えられると便利である。
【０００３】
枕に要求される他の機能として、発汗による湿気を吸収して発散させる吸湿発散性、熱を含んだ空気を素早く逃す通気放熱性、単に柔らかいだけでなく頭を落ち着かせる弾力性、頭部を偏りなく支える支持性、さらに菌やダニの除去や防臭のため丸洗いできることが要求される。柔らか過ぎず、寝返り時に人体と頭がほぼ同時に回転できることも必要である。これらの機能を全て満足させることは従来の枕では難しい。    
【０００４】
高さを変えられる枕として、特開２００６−３０５３４９号公報、特表２００８−５１７６８６号公報で示された枕は、厚さの異なる複数の部材でモジュール化したものである。厚さの異なる部材を複数用意する必要があり、細かく、また、簡単に高さを調整することが出来ない。
【０００５】
特開２０００−５０１１号公報、特開２００４−１４７８８９号公報で示された枕は、ねじで高さを調整する。ドライバーを用いて左右別々に調整する必要があり、使用する部品点数が多く、構造的に硬い部分が外に露出する。また、枕の表裏と前後の４箇所のうちの一箇所のみが使用でき、高さ調整をすると傾斜が変わり、頭から首の形状になじまない傾向がある。
【先行技術文献】
【特許文献】
【０００６】
【特許文献１】特開２００６−３０５３４９号公報
【０００７】
【特許文献２】特表２００８−５１７６８６号公報
【０００８】
【特許文献３】特開２０００−５０１１号公報
【０００９】
【特許文献４】特開２００４−１４７８８９号公報
【発明の概要】
【発明が解決しようとする課題】
【００１０】
部材の数を少なくし、構造的に硬い部分を外に出さず、枕の高さを簡単に調整できるようにする。
【００１１】
高さ調整以外に、枕に要求される機能を同時に満たす構成にする。
【００１２】
枕の表裏、前後のどの部分でも頭を当てて使用でき、高さを調整しても傾斜が生じなくする。
【課題を解決するための手段】
【００１３】
本発明の枕は、従来の枕の課題を解決するために以下の手段をとる。
【００１４】
請求項１では、本発明の枕は３つの部材と枕カバーで構成される。矩形近似の平面と、前後の縁が同じ方向に曲げられて構成され、前後方向での断面が浅いＵ字形状の弾性支持体が、２つ上下に、互いの平面を外側にして、対向した前後の縁をずらした位置で、合体して配置される。
【００１５】
上と下の弾性支持体の内側には、同じ傾斜の傾斜面を有する斜め突出部が前後に２箇所ずつ左右の端において矩形近似の平面と直交する方向に形成される。上と下の弾性支持体の斜め突出部の傾斜面は、独立した部材で構成される左右平行に配置された勘合部の対向する傾斜面に接して勘合される。合体された上と下の弾性支持体と左右の勘合部の前後方向の位置関係が変えられることで、上と下の弾性支持体の２つの矩形近似の平面の距離である枕の高さが可変される。左右の勘合部の傾斜面は、上と下の弾性支持体の斜め突出部の傾斜面に対向する位置で接する傾きを有して、勘合部の中間の高さの上と下に反対方向の傾きで形成される。
【００１６】
請求項２では、左右平行に配置された勘合部を互いに連結して勘合梁部が構成される。勘合部には上下方向に開いた溝が形成され、溝の内に勘合部の中間の高さから上下に反対方向の傾きを有する傾斜面が形成されている。溝の中に上と下の弾性支持体の斜め突出部が入れられることで、安定して互いの傾斜面どうしが接して勘合される。
【００１７】
請求項３では、上と下の弾性支持体を合体する目的の合わせ突出部が、左右の端の中間近傍で、矩形近似の平面の内側と直交する方向に設けられる。左右の合わせ突出部は、左右のいずれかの同じ方向に開放端を有し、上と下の弾性支持体の突出部どうしが互いに嵌め合わされ、合体される。
【００１８】
請求項４では、合わせ突出部の先端の開放端側に突出したフック部が設けられ、開放端と反対側の非開放端側の途中から開放された部分が設けられる。一方のフック部が他方の開放された部分に嵌められることで上と下の合わせ突出部が互いに上下方向に固定され、上と下の弾性支持体が合体される。請求項２で示された勘合部の溝に斜め突出部が入れられて左右方向に固定されることで合わせ突出部が左右にずれにくくされている。
【００１９】
請求項５では、左右いずれかの合わせ突出部で、弾性支持体の内側方向に向いた非開放端の部分に上下に長い突起部が形成される。左右平行に配置された勘合部の外側の側面に前後方向に連続した凹凸部が形成され、上と下の弾性支持体の一箇所づつの突起部が左右の凹凸部の凹部に嵌め込まれ、上と下の弾性支持体と勘合梁部が非連続的に前後方向に固定され、枕の高さが決められる。
【００２０】
請求項６では、弾性支持体の斜め突出部の傾斜面と勘合部の傾斜面が、階段近似の形状に形成されることで、上下方向から力が加わった場合に滑りにくく、互いの傾斜面の位置がずれにくくなる。
【００２１】
請求項７では、勘合梁部の左右の勘合部の中間の高さ位置から反対方向の傾斜を有する上下の傾斜面が、前後方向にずらされる。ずれ量は、上と下の弾性支持体の前後の縁が合わされて重なるに必要な寸法にされる。上と下の弾性支持体に同じ形状のものを使用することが前提になる。
【発明の効果】
【００２２】
簡単な操作で枕の高さを調整できる。
【００２３】
吸湿発散性、通気放熱性、偏りのない弾力支持性、丸洗できるなどの枕の基本機能を満たす。
【００２４】
少ない部材と、単純な組み立てで再現性と生産性がよい。
【図面の簡単な説明】
【００２５】
【図１】本発明の枕の実施例１を一部切り欠いた斜視図で示す。
【図２】本体部を構成する部材を上下に分離して示す。
【図３】構成する部材の一部を方向を変えて示す。
【図４】勘合部の中心で切られた断面図を示す。
【図５】図４でのＡ−Ａの高さ位置で切られた左右の端を一部断面図で示す。
【発明を実施するための形態】
【実施例１】
【００２６】
図１は、本発明の枕を示す斜視図である。枕の構成を理解しやすくするため、一部を切り欠いて示す。枕１は、樹脂成形で作られた上の弾性支持体２と下の弾性支持体３、および勘合梁部４の３つの部材で構成された本体部分に、枕カバー５が覆うことで成る。枕カバー５は一部を切り欠いて示される。上の弾性支持体２と下の弾性支持体３は、矩形近似の平面を有し、前後方向での断面が浅いU字形状に形成されて、互いの平面を上下に外側方向に配置して合体される。  
【００２７】
上の弾性支持体２と下の弾性支持体３は、前の縁６と７、後の縁８と９が前後にずれて重なる位置で合わせ、突出部１０と１１で合体される。勘合梁部４の勘合部に形成された複数の傾斜面が勘合される位置によって高さが可変され、合わせ突出部１１の一部に形成された突起部と勘合梁部４の勘合部の凹凸部１２とで固定される。枕１の左の端においても同様に高さが調整され、固定される。
【００２８】
枕１は、枕に要求される機能を果たす構成にされる。本体部分は高さを調整できる機能を有し、通気放熱性は複数のスリット状の隙間と開いた左右の端で確保され、頭を支持する弾力性と偏らない形状維持性は樹脂で成形された本体の構造で得られ、水での丸洗いは材質と構成で可能にされ、さらに吸湿発散性と接触時の柔らかな感触は本体構造と枕カバー５により確保される。
【００２９】
枕１の本体部分は、詰め物で作られる従来の枕のように変形して偏った形状にはならない。仰向け時に頭から首にかけてできる形状になじみやすくするため、頭をのせる部分は、中央近傍が浅い凹状の部分を有する平面で形成される。また、寝返りをしやすいように、適度に変形させない剛性を本体部分に持たせ、寝返り時に身体の回転とほぼ同時に頭も回転するようできる。     
【００３０】
上の弾性支持体２と下の弾性支持体３が同じ金型で成形されることで、本体部分は２種類の３個、全体では枕カバー５を加えた４個の部材のみで構成でき、簡単な組み立てのみで枕１ができる。枕カバー５が左右に開いた形状にされることで左右の端で高さを調整でき、空気の出入りも確保される。
【００３１】
図２と図３は、実施例１の枕の本体部分の３個の部材を分離して示すものである。図２では、弾性支持体２、勘合梁部４、および弾性支持体３を、嵌めこむ、あるいは勘合させる位置を上下方向に一致させて示す。図３は、下の弾性支持体３のみを左上から観た斜視図で示すものである。  
【００３２】
図２において、勘合梁部４は、上下方向に開いた溝１３、１４が形成された平行な勘合部１５、１６が右と左に配置され、連結部１７によって支持されて構成される。溝１３と１４の内に、図では位置だけが示される傾斜面１８、１９、２０、および２１が勘合部１５、１６の上半分の４箇所に形成され、下半分のほぼ近接する位置に上下反対な傾きの傾斜面が４箇所に形成される。
【００３３】
上の弾性支持体２は、矩形近似の平面を上側にして、スリット２２によって分離された前後方向に長い複数の桟状部２３で頭を載せる平面が形成される。桟状部２３は、下方向に平行に曲げられた前の縁６と後の縁８の途中まで曲げられて形成され、頭を載せた位置と加重に対応して変形しやすいように構成される。前の縁６、７、および後の縁８、９は上下方向の剛性が大きく、前後方向には柔軟にされる。平面の中央部では頭と首の形状になじみやすくするため、浅い凹部が形成される。図では示されないが、隣接する桟状部２３どうしを左右方向に複数の箇所で連結する構成にしてもよい。下の弾性支持体３においても下側にされた平面が同じ構成にされるのは、上の弾性支持体２と同じ型で成形される理由で当然である。上の弾性支持体２と下の弾性支持体３は、左右の端は反転され、前後の位置は変えずに互いの平面を外側方向にして配置される。
【００３４】
下の弾性支持体３では、同じ傾斜と方向の傾斜面を有する斜め突出部２４、２５、２６、および２７が、左右の端近傍の桟状部２８、２９において前後方向に２箇所づつ垂直にされて内側方向に形成される。当然ながら上下の向きを反対にされた上の弾性支持体２の左右の端近傍の桟状部３０、３１においても４箇所の対応する位置において内側方向に斜め突出部３２、３３、および図示されない斜め突出部３４、３５が形成される。
【００３５】
上の弾性支持体２の右端近傍の斜め突出部３２、３３、および図示されてない左端近傍の斜め突出部３４、３５は勘合梁部４の右側の勘合部１５と左側の勘合部１６の溝１３、１４の中に挿入され、傾斜面１８、１９、および傾斜面２０、２１に勘合される。下の弾性支持体３の右端近傍の斜め突出部２４、２５、および左端近傍の斜め突出部２６、２７は、右側の勘合部１５、および左側の勘合部１６の溝１３と１４に下側から挿入され、下半分の対応する位置の傾斜面に勘合される。
【００３６】
下の弾性支持体３の左右の端の桟状部３６、３７から垂直で内側方向に合わせ突出部１１、３８が一体化されて形成される。合わせ突出部１１、３８は、右方向に開放端を有する。図２では明示されてないが、左側部の一部が連結されて断面がU字形状にされて前後方向の強度が確保される。先端部には、開放端側である右側に突出したフック部３９、４０が形成される。
【００３７】
上の弾性支持体２は下の弾性支持体３と上下と左右が逆で前後は同じ位置にされることから、左右の端の桟状部４１、４２から垂直で内側方向に、合わせ突出部１０と、図示されない合わせ突出部４３が配置される。合わせ突出部１０、４３は、図示されないが左方向に開放端を有する。右側部の一部が連結されて断面がU字形状にされる。下に位置する先端部には、開放端側である左側に突出したフック部４４と図示されてないフック部４５が配置される。
【００３８】
上の弾性支持体２と下の弾性支持体３は、右端の合わせ突出部１０と１１を、および左端の合わせ突出部４３と３８を、互いの開放端から嵌め込み、互いのフック部４４と３９、およびフック部４５と４０が合わせ突出部１０、１１および４３、３８の開放端と反対側のU字形状の開放された部分に掛かることで固定されて合体される。合体された上の弾性支持体２と下の弾性支持体３が、間の勘合梁部４との前後方向の相対位置によって上と下の平面との間隔である枕の高さが変わる。この時に、互いに連結された上の弾性支持体２と下の弾性支持体３の平面の間隔が変えられることで、左右の端に位置する桟状部４１、３６および４２、３７が弾性変形して上下の間隔を小さくする力が作用して枕１の本体を構成する３つの部材が安定する。    
【００３９】
図３で示される下の弾性支持部３の右端の桟状部３６に一体化された合わせ突出部１１の非開放端の部分に上下に長い突起部４６が内側に向いて設けられる。左の合わせ突出部３８には上下に長い突起部は形成されない。図２で示される上の弾性支持部２は、下の弾性支持部３の左右を代えて配置されるため、左端の桟状部４２に、図示されないが、形成された合わせ突出部４３の非開放端の部分に上下に長い突起部４７が内側に向いて形成される。
【００４０】
上下に長い突起部４６と４７は、図２の勘合梁部４の左右の勘合部１５と１６の外側の側面に形成された前後方向に連続する凹凸部１２と、図示されない凹凸部４８の凹部に入り込み、その位置で安定する。右の勘合部１５の取っ手４９、５０のいずれかと、左の勘合部１６の図示されない取っ手５１、５２で、合体された上の弾性支持体２と下の弾性支持体３に対して同時的に勘合梁部４を相対的にずらし、凹凸部１２、４８の異なる凹部に弾性力で安定保持させることで数ミリメートルごと、非連続的に枕の高さが変えられ、固定することができる。
【００４１】
上の弾性支持体２と下の弾性支持体３を合体させる合わせ突出部１０と１１が重ね合わされた部分は、高さを調整するための前後方向の移動範囲で、勘合梁部４の勘合部１５に形成された凹凸部に対向して高さを固定できる必要があり、前後に連続する凹凸部１２の両端に出っ張り寸法を大きくしたストッパー部５３と５４の内側の位置で移動可能にされる。左側の端においても同様になされる。  
【００４２】
図４は、図２で示される上の弾性支持体２と下の弾性支持体３が勘合梁部４に勘合された状態で、勘合梁部４の右側の勘合部１５の溝１３の中心に沿って上下に切られた断面図を拡大して示す。溝１３の内に傾斜面１８と、同じ方向と傾斜を有する傾斜面１９が、勘合部１５の中間の位置から左側（図２では上側）に形成される。上の弾性支持体２の桟状部３０に形成された斜め突出部３２、３３の傾斜面５５、５６が溝１３の中で勘合部１５の傾斜面１８と１９に接して勘合される。
【００４３】
勘合部１５の中間の位置から右側の溝１３の内に傾斜面５７と、同じ方向と傾斜の傾斜面５８が、傾斜面１８と傾斜面１９と適当な距離ずらされて反対方向の傾きで形成される。下の弾性支持体３の桟状部２８に設けられた斜め突出部２４と２５の傾斜面５９と６０が、溝１３の中で傾斜面５７と５８に接して勘合される。傾斜面５７と５８が傾斜面１８と１９とずれる量は、図２で示される上の弾性支持体２と下の弾性支持体３が前の縁６と７、および後の縁８と９が前後に重なるに必要なずれ量にされる。  
【００４４】
斜め突出部３２、３３、２４、および２５が、勘合部１５に対して一体的に上下（図１や図２では前後）方向に移動されることにより、桟状部３０と桟状部２８の間隔、図１では弾性支持体２と下の弾性支持体３の平面の間隔が変わり、枕の高さが変化することになる。斜め突出部３２、３３と斜め突出部２４、２５が勘合部の溝１３に最も入った状態が枕の高さが最も低くなる。左の勘合部においても同時、同様になされる。互いの傾斜面どうしが常時接するためには、図２で示される上の弾性支持体２と下の弾性支持体３の合わせ突出部１０、４３と合わせ突出部１１、３８が勘合された状態で、互いの桟状部４１と３６、および桟状部４２と３７の弾性による力が加わることが必要であり、加えられる。
【００４５】
斜め突出部２４、２５、３２、および３３の傾斜面が階段近似の形状に形成され、また勘合部１５の溝１３の内に形成される傾斜面５７、５８、１８、および１９も勘合するように階段近似に形成されることで、枕に頭の重みなどが加わった場合でもそれぞれの傾斜面どうしで滑り難くでき、枕の高さを維持しやすい。ただし、桟状部３０、３１に衝撃的に力が加わった場合に滑って衝撃を吸収する度合いが低減する。
【００４６】
図５は、図４のＡ−Ａの高さでの左右の端近傍の形状を断面図で示す。図２で示される上の弾性支持体２と下の弾性支持体３が勘合梁部４に勘合されて枕の本体が形成された状態での断面図で、勘合されて高さを可変し、固定する機構を示すものである。右側の端近傍においては、下の弾性支持体３の桟状部３６から垂直方向に設けられた合わせ突出部１１に、上の弾性支持体２の一部断面で示される合わせ突出部１０が嵌め合わされ、フック部３９と４４が他の弾性支持体の開いた部分に互いに掛けられて上下方向に固定される。左右方向については、斜め突出部３２、３３、および破線で示される斜め突出部２４、２５が勘合部１５の溝１３に挿入されること移動が固定される。
【００４７】
左側の端近傍においても、同様に、下の弾性支持体３の桟状部３７から垂直方向に設けられた合わせ突出部３８に、上の弾性支持体２の一部断面で示される合わせ突出部４３が嵌め合わされ、フック部４０と４５が他の弾性支持体の開いた部分に互いに掛けられて上下方向に固定される。左右方向についても、同様に、斜め突出部３４、３５、および破線で示される斜め突出部２６、２７が勘合部１６の溝１４に挿入されることで移動が固定される。端において、上下方向に合体され、左右の方向にも外れ難くなることで枕の本体の組み合わせが安定される。
【００４８】
調整されて選択された高さを維持するため、勘合部１５と１６の外側の側面に形成された前後方向に連続する凹凸部１２、４８の凹部に上下に長い突起部４６と４７が嵌め込まれ、勘合部１５と１６は前後の動きが止められる。図２で示される上の弾性支持体２と下の弾性支持体３が勘合梁部４との相対位置が固定され、枕の高さが選択される。上下に長い突出部４６と４７は、いずれも内側の方向を向き、合わせ突出部１１と合わせ突出部４３の非開放端に設けられる。    
【００４９】
右端の合わせ突出部１１と１０、および左端の合わせ突出部３８と４３を嵌め合わせる時、あるいは、上下に長い突起部４６と４７を左右の凹凸部１２と４８に当てながら前後に移動する時には、樹脂で成形された下の桟状部３６、３７や上の桟状部４１、４２、合わせ突出部１１、１０、３８、４３、および勘合部１５と１６の側部を弾性変形させる。  
【００５０】
凹凸部１２と４８の両端にストッパー部５３、５４、６１、および６２を設け、合わせ突出部１０、１１、３８、および４３が凹凸部１２、４８から外れないようにし、初期の位置を設定できるようにする。勘合部１５と１６の外側の側面の両端に握り部４９、５０、および５１、５２において左右の手で勘合部１５と１６を移動させて、枕の高さを調整できるようにする。
【００５１】
本発明の枕の本体は樹脂成形で作られる部材で構成され、振動などが伝わりやすいため、振動センサーで振動を検知し、バイブレーターで振動を励起できる。側部に取り付け部を設けることも容易で、センサー、回路、バイブレーター、発音器および電池などを入れた筐体を取り付けることができる。振動センサーや加速度センサーで頭の動きを検知したり、マイクロフォンでいびき音を感知し、信号処理を行い、振動や音で刺激を与えることが可能になる。
【産業上の利用可能性】
【００５２】
枕に必要な機能を有して、簡単に高さを調整できる構成を２種類の成形部材で可能にすることで広い用途が可能となる。さらに、振動を伝え易い部材で構成される枕の端にセンサーやアラームを搭載した小型機器を搭載し、快適な目覚まし、いびき防止などの機能を付加することができる。
【符号の説明】
【００５３】
１    枕
２、３    弾性支持体
４    勘合梁部
５    枕カバー
６、７、８、９    縁
１０、１１、３８、４３    合わせ突出部
１２、４８    凹凸部
１３、１４    溝
１５、１６    勘合部
１８、１９、２０、２１    傾斜面
２３、２８、２９、３０、３１、３６、３７、４１、４２    桟状部
２４、２５、２６、２７、３２、３３、３４、３５    斜め突出部
３９、４０、４４、４５    フック部
４６、４７    突起部    
【図１】
2011030634.tif 000003
【図２】
2011030634.tif 000004
【図３】
2011030634.tif 000005
【図４】
2011030634.tif 000006
【図５】
2011030634.tif 000007